(57)【要約】      （修正有）【課題】シリアル制御バスを備えた電源コンセント制御装置であって、シリアル制御バスを介して電子装置の動作状態を検知するとともに、電子装置の動作状態に基づいて電源をオンまたはオフする電源コンセントを提供する。【解決手段】シリアル制御バスを備えた電源コンセント制御装置は、公衆電源に接続されるメイン電源コンセントと、サブ電源コンセントと、データ信号を出力するシリアル制御バスと、前記シリアル制御バスに接続されて、前記データ信号を検知し、制御信号を発生するコントローラと、前記サブ電源コンセント、前記公衆電源および前記コントローラに接続される電力スイッチと、を備え、前記制御信号は、前記サブ電源コンセントまでの前記公衆電源をオンまたはオフするように前記電力スイッチを駆動する。【選択図】図４
0003126468.tif 000002
【実用新案登録請求の範囲】
【請求項１】
公衆電源に接続されるメイン電源コンセントと、
サブ電源コンセントと、
データ信号を出力するシリアル制御バスと、
前記シリアル制御バスに接続されて、前記データ信号を検知し、制御信号を発生するコントローラと、
前記サブ電源コンセント、前記公衆電源および前記コントローラに接続される電力スイッチと、を備え、
前記制御信号は、前記サブ電源コンセントまでの前記公衆電源をオンまたはオフするように前記電力スイッチを制御することを特徴とするシリアル制御バスを備えた電源コンセント制御装置。
【請求項２】
前記シリアル制御バスがユニバーサル・シリアル・バス(USB)であることを特徴とする請求項1に記載のシリアル制御バスを備えた電源コンセント制御装置。
【請求項３】
前記シリアル制御バスがRS-232シリアルバス、RS-485バス、RS-422バスまたはIEEE-1394バスであることを特徴とする請求項1に記載のシリアル制御バスを備えた電源コンセント制御装置。
【請求項４】
前記シリアル制御バスおよび前記メイン電源コンセントが電子装置に接続でき、前記シリアル制御バスが前記電子装置から前記データ信号を受信し、前記メイン電源コンセントが前記公衆電源を前記電子装置に供給することを特徴とする請求項1に記載のシリアル制御バスを備えた電源コンセント制御装置。
【請求項５】
前記電子装置がコンピュータであることを特徴とする請求項4に記載のシリアル制御バスを備えた電源コンセント制御装置。
【請求項６】
前記コントローラが、
前記シリアル制御バスに接続されて、前記制御信号を出力する制御チップと、
前記制御チップおよび前記シリアル制御バスに接続される切換えスイッチと、を含むことを特徴とする請求項1に記載のシリアル制御バスを備えた電源コンセント制御装置。
【請求項７】
前記切換えスイッチがPチャネルFETであることを特徴とする請求項6に記載のシリアル制御バスを備えた電源コンセント制御装置。
【請求項８】
前記切換えスイッチがNチャネルFETであることを特徴とする請求項6に記載のシリアル制御バスを備えた電源コンセント制御装置。
【請求項９】
前記公衆電源、前記メイン電源コンセントおよび前記電力スイッチに接続されるサージプロテクタを更に備えたことを特徴とする請求項1に記載のシリアル制御バスを備えた電源コンセント制御装置。
【請求項１０】
前記サージプロテクタに接続される電源インジケータランプ回路を更に備えたことを特徴とする請求項9に記載のシリアル制御バスを備えた電源コンセント制御装置。
【請求項１１】
電力スイッチがリレーであることを特徴とする請求項1に記載のシリアル制御バスを備えた電源コンセント制御装置。
【請求項１２】
前記シリアル制御バスが無線のシリアル制御バスであることを特徴とする請求項1に記載のシリアル制御バスを備えた電源コンセント制御装置。
【考案の詳細な説明】
【技術分野】
【０００１】
シリアル制御バスを備えた電源コンセント制御装置であって、とりわけシリアル制御バスを介して電子装置の動作状態を検知するとともに、電子装置の動作状態に基づいて電源をオンまたはオフする電源コンセントである。
【背景技術】
【０００２】
科学技術に進歩に伴い、コンピュータは人々の生活の一部となってきており、職場や家庭内を問わず、コンピュータから離れることはできなくなってきている。しかしながら、一般的なコンピュータ用電源コンセント上には、例えばスピーカ、プリンタ、ディスプレイ、スキャナなどの負荷装置というように周辺装置が同時に差し込まれることが多い。したがって、電源コンセントが数多くの負荷装置に同時に電源を供給している場合には、見えないところで安全の問題も引き起こしている。よって、市場には、スイッチ10を手動で切換えることにより電源コンセント1の電源供給を制御することができるスイッチ制御を備えた電源コンセント1(図1に示す)が出回っている。
【０００３】
コンピュータの安全操作手順においては、コンピュータを使用し終えたときには、火災の危険性をなくすために、電源コンセントのスイッチ10の全てをオフにして、電源を切断する必要がある。しかし、習慣的には、コンピュータが使用し終えたときでも、電源コンセント上のスイッチ10をオフ(turn off)するのを忘れてしまいがちである。これでは電源コンセント上の数多くの負荷装置は尚も電力を消費しており、見えないところで電力の浪費と負荷装置の寿命の短縮を引き起こすこととなってしまうばかりか、安全の問題はより深刻である。したがって、現在のコンピュータ用電源コンセントにおいては、コンピュータの電源オフ(power down)に伴って電源を切断するような安全保護対策を早急に提供することによって、ようやく人々の使用上におけるニーズを満たすことができるようになる。
【考案の開示】
【考案の効果】
【０００４】
これに鑑みて、本考案ではシリアル制御バスを備えた電源コンセント制御装置を提供するものであり、前記シリアル制御バスを備えた前記電源コンセント制御装置は、シリアル制御バスを介して電子装置の動作状態を検知するとともに、前記電子装置の動作状態に基づいて前記シリアル制御バスを備えた電源コンセント制御装置上の電源をオンまたはオフするものである。
【０００５】
本考案のシリアル制御バスを備えた電源コンセント制御装置は、公衆電源に接続されるメイン電源コンセントと、サブ電源コンセントと、データ信号を出力するシリアル制御バスと、前記シリアル制御バスに接続されて、前記データ信号を検知し、制御信号を発生するコントローラと、前記サブ電源コンセント、前記公衆電源および前記コントローラに接続される電力スイッチと、を備え、前記制御信号は、前記サブ電源コンセントまでの前記公衆電源をオンまたはオフするように前記電力スイッチを制御するものである。
【０００６】
本考案において、前記シリアル制御バスおよび前記メイン電源コンセントは電子装置に接続でき、前記シリアル制御バスは前記電子装置から前記データ信号を受信し、前記メイン電源コンセントは前記公衆電源を前記電子装置に供給する。
【０００７】
本考案の特徴および技術内容をより詳細に理解できるよう、本考案に係る詳細な説明および図面を参照されたい。ただし図面は単に参考および説明に供されるのみであり、本考案を限定するためのものではない。
【考案を実施するための最良の形態】
【０００８】
本考案が電子装置に接続されている外観の概略図である図2を参照されたい。本考案のシリアル制御バスを備えた電源コンセント制御装置2は、公衆電源AC powerを受けるものであり、しかもメイン電源コンセント21と、サブ電源コンセント22と、シリアル制御バス23とを備える。本考案ではシリアル制御バス23を用いて電子装置3に接続されるとともに、シリアル制御の方式により電子装置3の動作状態を検知する。一方では、本考案は同時に前記電子装置3の動作状態に基づいて前記シリアル制御バスを備えたサブ電源コンセント22上の電源をオンまたはオフする。
【０００９】
実際の運用では、本考案のサブ電源コンセント22は並列で複数組のサブ電源コンセント22に拡張して、複数の負荷装置への使用に供することができる。応用的には、図3に示す応用例にあるように、本考案はまた旧型の電源コンセント1に組合わせてサブ電源コンセント22を拡張することもできる。
【００１０】
本考案の回路ブロックの概略図である図4を参照されたい。本考案の前記シリアル制御バスを備えた電源コンセント制御装置2は、メイン電源コンセント21と、サブ電源コンセント22と、シリアル制御バス23と、コントローラ24と、電力スイッチ25と、サージプロテクタ26と、電源インジケータランプ回路27とを備える。
【００１１】
図4において、サージプロテクタ26は前記メイン電源コンセント21、前記電力スイッチ25および前記電源インジケータランプ回路27に接続されて、公衆電源AC powerを受ける。公衆電源AC powerが突然本考案に印加されると、大きなサージ電圧または電流が発生し、ひいては本考案中の電子素子を損なうことになってしまう。そこで、前記サージプロテクタ26はサージ電圧または電流の本考案中の電子素子に対する影響をなくすために用いられる。
【００１２】
メイン電源コンセント21は前記サージプロテクタ26に接続されており、サージプロテクタ26を経由した公衆電源AC powerはメイン電源コンセント21を介して電子装置3での使用に供され(図2を参照)、前記電子装置3はパーソナルコンピュータ(PC)とすることができる。
【００１３】
電源インジケータランプ回路27は前記サージプロテクタ26に接続されており、サージプロテクタ26を経由した公衆電源AC powerは電源インジケータランプ回路27に印加されるものであり、前記電源インジケータランプ回路27は公衆電源AC powerが供給されている状態であることを使用者に知らせるよう表示するためのものである。
【００１４】
本考案が提供するシリアル制御バス23は電子装置3への接続に用いられる(図2を参照)。シリアル制御バス23はユニバーサル・シリアル・バス(USB)、RS-232シリアルバス、RS-485バス、RS-422バスまたはIEEE-1394バスとすることができる。本明細書においては、ユニバーサル・シリアル・バス(USB)を本考案の実施例とする。
【００１５】
電子装置3は前記シリアル制御バス23にデータ信号DSを送出し、そして前記シリアル制御バス23に接続されているコントローラ24は前記データ信号DSを周期的に検知して、制御信号CSを発生する。電力スイッチ25は電磁コイル(図示せず)および切換接点(図示せず)を含むリレー(relay)である。電磁コイルは前記コントローラ24に接続され、前記制御信号CSに制御されて励磁または消磁して、ひいては切換接点の切換え動作を制御する。前記切換接点は前記サブ電源コンセント22に接続され、サージプロテクタ26を経由した公衆電源AC powerの前記サブ電源コンセント22への印加または切断を制御する。
【００１６】
図4に合わせて、本考案の回路概略図である図5を参照されたい。前記コントローラ24は主に制御チップU1と切換えスイッチQ1とを含む。制御チップU1はUSBシリアル制御チップであり、前記シリアル制御バス23に接続されている。前記切換えスイッチQ1はPチャネルFETまたはNチャネルFETである。
【００１７】
図5に示すように、前記シリアル制御バス23はユニバーサル・シリアル・バス(USB)であり、二本の電源線(VCC、GND)と二本のデータ線(D+、D-)とを有する。前記シリアル制御バス23がコンピュータに接続されたとき、制御チップU1はシリアル制御バス23のデータ線D+から送信されてきたデータ信号DSを周期的に検知する。制御チップU1は前記データ信号DSを比較演算した後、出力端から前記制御信号CSを出力し、該制御信号CSは前記切換えスイッチQ1のオン(ON)またはオフ(OFF)の切換えを制御する。
【００１８】
切換えスイッチQ1がオン(ON)となったとき、コントローラ24は前記シリアル制御バス23から前記電力スイッチ25の電磁コイルMSに駆動電源VCCを印加して励磁する。励磁された電磁コイルMSは切換接点OCをオン状態(ON)とし、このとき、サージプロテクタ26を経由した公衆電源AC powerが前記サブ電源コンセント22に印加されて、前記サブ電源コンセント22に挿入されている負荷装置(図示せず)の電源として供給される。
【００１９】
これとは反対に、切換えスイッチQ1がオフ(OFF)されたとき、コントローラ24は前記シリアル制御バス23から出力された駆動電源VCCの前記電力スイッチ25の電磁コイルMSへの供給を切断し、電磁コイルMSが消磁する。消磁された電磁コイルMSは切換接点OCをオフ状態(OFF)とし、このとき、サージプロテクタ26を経由した公衆電源AC powerの前記サブ電源コンセント22への印加が停止し、前記サブ電源コンセント22に挿入されている負荷装置(図示せず)の電源が切断される。
【００２０】
再度図5を参照されたい。サージプロテクタ26を経由した公衆電源AC powerはメイン電源コンセント21を介して電子装置3に供給されて使用されると同時に(図2を参照)、サージプロテクタ26を経由した公衆電源AC powerはまた電源インジケータランプ回路27に送られて使用に供される。
【００２１】
本考案のシリアル制御バスを備えた電源コンセント制御装置2は応用において、シリアル制御バス23がコンピュータに接続されて、メイン電源コンセント21はコンピュータの電源として使用され、サブ電源コンセントはその他負荷装置の電源として使用される。コンピュータを起動して使用されるとき、コンピュータのシステムはシリアル制御バス23のデータ線を介して本考案の存在を検知し認証し、コンピュータは本考案をヒューマン・インターフェイス・デバイス(Human Interface Device；HID)のサポート対象とする。
【００２２】
コンピュータが起動すると同時に、本考案はシリアル制御バス23のデータ線を介して起動のデータ信号を検知するとともに、前記起動のデータ信号に基づいて前記サブ電源コンセント22上の電源のオンを制御する。逆に、コンピュータをシャットダウンするときには、本考案はまたシリアル制御バス23のデータ線を介してシャットダウンのデータ信号を検知するとともに、前記シャットダウンのデータ信号に基づいて前記サブ電源コンセント22上の電源を切断するように制御することで、電力の浪費を減らし、負荷装置の使用寿命を延ばし、ひいては電気の使用がより安全となる。
【００２３】
さらには、本考案においては、サブ電源コンセント上に挿入されている負荷装置を考慮すると、コンピュータのシャットダウンの後も実行中の作業が完了するまでの一定程度の時間が必要となる。したがって、本考案ではシャットダウンのデータ信号を受信した後に、一定程度の時間分遅れて前記サブ電源コンセント22上の電源を切断できるようになっている。
【００２４】
また、本考案がコンピュータに接続する技術手法においては、本考案はシリアル制御バス伝送線または無線のシリアル制御バス伝送技術により、コンピュータが送信したデータ信号を検知することができる。
【００２５】
上記を総合するに、本考案におけるシリアル制御バスを備えた電源コンセント制御装置2はシリアル制御バス23を用いてコンピュータに接続するとともに、コントローラを使用して電子装置3から送信されたデータ信号を検知する。コントローラでは前記データ信号を比較演算した後、制御信号を出力してサブ電源コンセント22上の電源のオンまたはオフを制御する。よって本考案におけるシリアル制御バスを備えた電源コンセント制御装置2はコンピュータのシャットダウンに伴って電源を切断するというような安全保護対策を提供し、人々の使用上におけるニーズを満たすことができる。
【００２６】
ただし、上記は、本考案の好適な一つの具体的な実施例の詳細な説明および図面に過ぎず、当業者が本考案の範囲内で容易に想到し得る変更または付加はいずれも本願の特許請求の範囲に含まれるものである。
【図面の簡単な説明】
【００２７】
【図１】従来の電源コンセントの外観概略図である。
【図２】本考案が電子装置に接続されている外観概略図である。
【図３】本考案が電子装置に接続されている他の外観概略図である。
【図４】本考案の回路ブロックの概略図である。
【図５】本考案の回路概略図である。
【符号の説明】
【００２８】
電源コンセント1
切換えスイッチ10
電源コンセント2      メイン電源コンセント21
サブ電源コンセント22    シリアル制御バス23
コントローラ24      電力スイッチ25
サージプロテクタ26    電源インジケータランプ回路27
電子装置3        データ信号DS
制御信号CS        駆動電源VCC
制御チップU1        切換えスイッチQ1
電磁コイルMS        切換接点OC
【図１】
0003126468.tif 000003
【図２】
0003126468.tif 000004
【図３】
0003126468.tif 000005
【図４】
0003126468.tif 000006
【図５】
0003126468.tif 000007